(57)【要約】【課題】立ち上がり時間、ジッタ又はパルス幅歪み等の影響を排除する。【構成】テジタル光信号αを受信して電気信号に変換する受光素子１０と、受光素子１０の出力データを順次記録するメモリ部５０と、デジタル光信号αのサンプリング周波数を検出するとともにメモリ部５０に対するデータのリード／ライトを当該サンプリング周波数に同期して行う制御回路部４０と、メモリ部５０から読み出されたデジタル電気信号βを波形整形して出力するバッファ回路部６０と、バッファ回路部６０から出力されたデジタル電気信号βを外部出力する出力端子７０とを有した構成となっている。【選択図】  図１
2005005973.tif 000002
【特許請求の範囲】
【請求項１】
デジタルオーディオ用インターフェースに使用される光受信モジュールにおいて、テジタル光信号を受信して電気信号に変換する受光素子と、受光素子から出力されたデータを順次記録するメモリ部と、デジタル光信号のサンプリング周波数を検出するサンプリング周波数検出部と、メモリ部に対するデータのリード／ライトを当該サンプリング周波数に同期して行うリード／ライト制御部と、メモリ部から読み出されたデジタル電気信号を波形整形して出力するバッファ回路部とを具備したことを特徴とする光受信モジュール。
【請求項２】
請求項１記載の光受信モジュールにおいて、サンプリング周波数検出部は、受光素子から出力された所定ビット分のデータがメモリ部に蓄積されるのに要する時間を求め、当該時間をデジタル光信号のサンプリング周波数として出力する構成となっていることを特徴とする光受信モジュール。
【請求項３】
請求項１又は２記載の光受信モジュールにおいて、デジタル光信号を伝送する光ケーブルに接続される受信側光コネクタに内蔵されていることを特徴とする光受信モジュール。
【発明の詳細な説明】
【０００１】
【発明の属する技術分野】
本発明はデジタルオーディオ用インターフェースに使用される光受信モジュールに関する。
【０００２】
【従来の技術】
従来の光受信モジュールにおいては、テジタル信号を光受信して電気信号に変換する受光素子と、受光素子から出力された電気信号を波形整形して出力するバッファ回路とを有した基本構成となっているのが一般的である（例えば、特許文献１参照）。
【０００３】
【特許文献１】
特開平０９−０８２９８９号公報
【０００４】
【発明が解決しようとする課題】
しかしながら、上記従来例による場合、回路構成上、立ち上がり時間、ジッタ又はパルス幅歪み等の影響を十分に排除することが困難であり、この点でスピーカーにて再生される音質の向上を図る上で大きな障害となっている。
【０００５】
本発明は上記事情に鑑みて創案されたものであって、その目的とするところは、立ち上がり時間、ジッタ又はパルス幅歪み等の影響を排除することが可能な光受信モジュールを提供することにある。
【０００６】
【課題を解決するための手段】
本発明の光受信モジュールは、デジタルオーディオ用インターフェースに使用されるものであって、テジタル光信号を受信して電気信号に変換する受光素子と、受光素子から出力されたデータを順次記録するメモリ部と、デジタル光信号のサンプリング周波数を検出するサンプリング周波数検出部と、メモリ部に対するデータのリード／ライトを当該サンプリング周波数に同期して行うリード／ライト制御部と、メモリ部から読み出されたデジタル電気信号を波形整形して出力するバッファ回路部とを備えた構成となっている。
【０００７】
サンプリング周波数検出部に関しては、受光素子から出力された所定ビット分のデータがメモリ部に蓄積されるのに要する時間を求め、当該時間をデジタル光信号のサンプリング周波数として出力する構成のものを使用すると良い。
【０００８】
このような光受信モジュールをデジタル光信号を伝送する光ケーブルに接続される受信側光コネクタに内蔵するようにすると良い。
【０００９】
【発明の実施の形態】
以下、本発明の実施の形態について図１乃至図４を参照して説明する。図１は光受信モジュールの回路図、図２は同回路の配置レイアウト図、図３は光受信モジュールに入出力されるデジタル光信号及びデジタル電気信号の波形図、図４は光受信モジュールの使用例を示す模式図である。
【００１０】
ここに掲げる光受信モジュールはオーディオ用インターフェースに使用されるものであって、ここでは図４に示すようにデジタルオーディオ用のアンプの受信側光コネクタ１００に内蔵されている。即ち、ＣＤプレーヤやＭＤプレーヤ（図示省略）等のデジタル光信号αが受信側光コネクタ１００に接続された光ケーブル２００（プラスチック製の光ファイバー）を介して入力されると、これをデジタル電気信号βに変換し、同アンプ内のメイン回路に出力するようになっている。具体的な回路構成は図１に示す通りであり、その基板上の配置レイアウトは図２  に示す通りである。
【００１１】
即ち、光受信モジュールは、テジタル光信号αを受信して電気信号に変換する受光ダイオードである受光素子１０（Ｐｈｏｔｏ  Ｄｉｏｄｅ）と、受光素子１０の出力電流を電圧に変換するオペアンプを用いた電流／電圧変換器２０（Ｉ−Ｖ  Ｃｏｎｖｅｒｔｅｒ）  、電流／電圧変換器２０の出力電圧を増幅するオペアンプである増幅器３０（ＯＰ−ＡＭＰ）と、増幅器３０から出力されたデータを順次記録する６４ビットＤＲＡＭであるメモリ部５０（６４ｂｉｔ  ＤＲＡＭ）  と、デジタル光信号αのサンプリング周波数を検出するとともにメモリ部５０に対するデータのリード／ライトを当該サンプリング周波数に同期して行う制御回路部４０（  サンプリング周波数検出部及びリード／ライト制御部に相当する）  と、メモリ部５０から読み出されたデジタル電気信号βを波形整形して出力する論理ゲートであるバッファ回路部６０（Ｏｕｔｐｕｔ  ｂｕｆｆｅｒ）と、バッファ回路部６０から出力されたデジタル電気信号βを外部出力する出力端子７０（Ｏｕｔｐｕｔ）  とを有した構成となっている。
【００１２】
制御回路部４０は、増幅器３０から出力された６４ビット分のデータがメモリ部５０に蓄積されるのに要する時間を求め、当該時間をデジタル光信号αのサンプリング周波数として出力する制御回路及びＡＬＵ  であるコントロール部４２（Ｃｏｎｔｒｏｌ  Ｃｉｒｃｕｉｔ）と、コントロール部４２を動作させるのに必要な基準クロックを出力する基準クロック発振器４１（Ｒｅｆｅｒｅｎｃｅ  Ｏｓｃｉｌｌａｔｏｒ）  と、メモリ部５０に対するデータのリード／ライトをサンプリング周波数に同期して行うＤＰＬＬ４３とを有した回路構成となっている。
【００１３】
以上のように構成された光受信モジュールの動作について説明する。テジタル光信号αが入力されると、受光素子１０で電気信号に変換され、そのデータが電流／電圧変換器２０及び増幅器３０を経てメモリ部５０に順次記録される。このときコントロール部４２は、６４ビット分のデータの全てがメモリ部５０に書き込まれるに要する時間を計測する。即ち、メモリ部５０の先頭アドレスにデータが書き込まれた時点で計測を開始し、その後、最終アドレスにデータが書き込まれた時点で計測を終了する。
【００１４】
このように計測した時間が１０．４１６６７μＳ，１１．３３７８７μＳ，１５．６２５μＳ  であるときには、テジタル光信号αのサンプリング周波数が，４８ｋＨｚ（  ＤＶＤ用），４４．１ｋＨｚ（ＣＤ用），３２ｋＨｚ（  衛生放送用）ということになる。コントロール部４２は、サンプリング周波数を求めた後、サンプリング周波数を有する基準信号を生成してＤＰＬＬ４３に出力する。ＤＰＬＬ４３は、メモリ部５０のリード／ライト信号を生成しているが、これを基準信号に同期させるように制御している。その結果、メモリ部５０に対するデータのリード／ライトが当該サンプリング周波数に同期して行われることになる。
【００１５】
なお、コントロール部４２は、テジタル光信号αのサンプリング周波数を常時監視しており、最初のサンプリング周波数と変化が現れたときには、以後、そのサンプリング周波数を有する基準信号を生成して、ＤＰＬＬ４３に出力するようになっている。
【００１６】
このようにしてメモリ部５０上のデータがデジタル電気信号βとして読み出されると、バッファ回路部６０により波形整形された後、出力端子７０を通じて出力されるようになっている。
【００１７】
図３（ａ）に示すような波形を有するテジタル光信号αが入力された場合、出力端子７０から出力されるデジタル電気信号βの波形は図３（ｂ）に示すように波形整形され、立ち上がり時間、ジッタ又はパルス幅歪み等の影響も十分に排除されている。これはバッファ回路部６０に波形整形されていることに加えて、次のような理由に基づく。
【００１８】
即ち、テジタル光信号αの正確なサンプリング周波数を求め、メモリ部５０上の受光素子１０の出力データに対するリード／ライトをそのサンプリング周波数に同期して行うようにしたからである。即ち、送信側光コネクタな光ファイバーの影響を受けないようにしたために、立ち上がり時間、ジッタ又はパルス幅歪み等の影響を排除することが可能になる。それ故、ＤＶＤ、ＣＤ、衛生放送等の音源の種類に関係なく、原音に忠実でリアルな再現性を持つ、高品位な音質を実現することが可能になる。
【００１９】
なお、本発明の光受信モジュールは上記実施形態に限定されず、ＣＤプレーヤ、ＤＶＤプレーヤ、ＭＤプレーヤ、ＴＶ、ＳＴＢの受信側光コネクタに内蔵したり、受信側光コネクタに組み込むではなく、例えば、受信側光コネクタとＤＳＰの間を接続するＩＣ等に組み込むようにしてもかまわないのは当然である。
【００２０】
また、受光素子に関しては、テジタル光信号を受信して電気信号に変換するものである限り、どのようなものを用いても良い。メモリ部に関しては、その種類や容量が問われないのは当然である。サンプリング周波数検出部に関しては、デジタル光信号のサンプリング周波数を検出する構成である限り、どのような手法を用いても良く、例えば、音源の種類を設定入力するスイッチ等であってもかまわない。リード／ライト制御部に関しては、メモリ部に対するデータのリード／ライトをサンプリング周波数に同期して行うことができる機能を有する限り、どのようなものを用いても良い。バッファ回路部に関しては、メモリ部から読み出されたデジタル電気信号を波形整形して出力する機能を有する限り、どのようなものを用いても良い。
【００２１】
【発明の効果】
以上、本発明に係る光受信モジュールによる場合、受光素子から出力されたデータをメモリ部に順次記録し、メモリ部に対するデータのリード／ライトをデジタル光信号のサンプリング周波数に同期して行い、メモリ部から読み出されたデジタル電気信号を波形整形して出力する構成となっているので、立ち上がり時間、ジッタ又はパルス幅歪み等の影響を排除することが可能になる。また、デジタル光信号のサンプリング周波数を求めるようになっていることから、音源の種類に関係なく、原音に忠実でリアルな再現性を持つ、高品位な音質を実現することが可能になる。
【図面の簡単な説明】
【図１】本発明の実施の形態を説明するための図であって、光受信モジュールの回路図である。
【図２】同回路の配置レイアウト図である。
【図３】同光受信モジュールに入出力されるデジタル光信号及びデジタル電気信号の波形図である。
【図４】同光受信モジュールの使用例を示す模式図である。
【符号の説明】
１０  受光素子
２０  電流／電圧変換器
３０  増幅器
４０  制御回路部（サンプリング周波数検出部及びリード／ライト制御部）
５０  メモリ部
６０  バッファ回路部
７０  出力端子
１００  受信側光コネクタ
２００  光ケーブル
α  デジタル光信号
β  デジタル電気信号
【図１】
2005005973.tif 000003
【図２】
2005005973.tif 000004
【図３】
2005005973.tif 000005
【図４】
2005005973.tif 000006